(57)【要約】【課題】  電気シグナル伝達要素７、特に、低コスト生産或いは更なる適用範囲の拡大が見込まれる白熱電球を保持する為の保持装置５を少なくとも一つ有し、機械、設備、及び乗物などの技術装置の作動状態を少なくとも一つ表示する、特に柱状シグナル伝達装置などのシグナル伝達装置を提案する。【解決手段】  本発明は、特に、電子装置マウント９を保持する為の保持装置５が、シグナル伝達要素７を保持し、電子装置マウントの側方ガイド用のガイド装置８を少なくとも一つ有するように設計されている。シグナル伝達要素、或いは電球用の電子装置マウントは、設置することが極めて簡単である。【選択図】  図１
2006195956.tif 000002
【特許請求の範囲】
【請求項１】
電気シグナル伝達要素（７）、特に白熱電球（７）を保持する為の保持装置（５）を少なくとも一つ有し、機械、設備、及び乗物などの技術装置の作動状態を少なくとも一つ表示する特に柱状シグナル伝達装置などのシグナル伝達装置であって、保持装置（５）が、電子装置マウント（９）を任意に保持でき、据え付けられるべき電子装置マウント（９）の側方ガイドのための少なくとも１つのガイド装置（８）を備えた、装置。
【請求項２】
任意的に利用されるシグナル伝達要素（７）と、任意的に利用される電子装置マウント（９）が、別の保持要素を有することを特徴とする請求項１に記載のシグナル伝達装置。
【請求項３】
設置される電子装置マウント（９）が保持装置（５）にプラグ接続することが出来るようにガイド装置（８）が設計されていることを特徴とする請求項１に記載のシグナル伝達装置。
【請求項４】
ガイド装置（８）が少なくとも片側が開いているスロット（８）の形をしていることを特徴とする請求項１ないし３のいずれかに記載のシグナル伝達装置。
【請求項５】
スロット（８）が、本質的に、シグナル伝達装置（１）の軸方向に配列されていることを特徴とする請求項１ないし４のいずれかに記載のシグナル伝達装置。
【請求項６】
ベース（４）の反対側に配置された保持装置（５）側のスロット（８）が開いていることを特徴とする請求項１ないし５のいずれかに記載のシグナル伝達装置。
【請求項７】
保持装置（５）より電子装置マウント（９）の幅が広いことを特徴とする請求項１ないし６のいずれかに記載のシグナル伝達装置。
【請求項８】
シグナル伝達装置の断面に遮るものがない場合の幅と、電子装置マウント（９）の幅が、本質的に一致することを特徴とする請求項１ないし７のいずれかに記載のシグナル伝達装置。
【請求項９】
電子装置マウント（９）が、少なくとも一つの発光ダイオードを有することを特徴とする請求項１ないし８のいずれかに記載のシグナル伝達装置。
【請求項１０】
シグナル伝達要素（７）、或いは電子装置マウント（９）を固定する為の固定ユニット（１０）を少なくとも一つ有することを特徴とする請求項１ないし９のいずれかに記載のシグナル伝達装置。
【請求項１１】
固定ユニット（１０）が、シグナル伝達要素（７）、或いは電子装置マウント（９）のラッチングの役目をするラッチングユニットという形をとっていることを特徴とする請求項１ないし１０のいずれかに記載のシグナル伝達装置。
【請求項１２】
固定ユニット（１０）が、シグナル伝達要素（７）、或いは電子装置マウント（９）の固定をする為の差し込み型接続部品（１２）を少なくとも一つ備えていることを特徴とする請求項１ないし１１のいずれかに記載のシグナル伝達装置。
【請求項１３】
少なくともいくつかのケースでは、電源、或いはシグナル伝達要素（７）及び電子装置マウント（９）の両方のデータ交換に同一の電気接続部品（２，１４）が利用されることを特徴とする請求項１ないし１２のいずれかに記載のシグナル伝達装置。
【請求項１４】
接続部品（２，１４）がバネ接続（１４）の形をとっていることを特徴とする請求項１ないし１３のいずれかに記載のシグナル伝達装置。
【請求項１５】
電子装置マウント（９）が受信機へ、或いは送信機からの、無線データを送信する為の送信機、或いはは受信機を備えた伝送ユニットを少なくとも一つ有することを特徴とする請求項１ないし１４のいずれかに記載のシグナル伝達装置。
【請求項１６】
電子装置マウント（９）が少なくとも一つのバス結合器を有することを特徴とする請求項１ないし１５のいずれかに記載のシグナル伝達装置。
【請求項１７】
電子装置マウント（９）がパラメーターを記録するセンサーを少なくとも一つ有することを特徴とする請求項１ないし１６のいずれかに記載のシグナル伝達装置。
【請求項１８】
プリント配線基板（９）が、画像、あるいは動画を記録する為の画像記録ユニットを少なくとも一つ備えていることを特徴とする請求項１ないし１７のいずれかに記載のシグナル伝達装置。
【請求項１９】
音を発生する電気音発生器を少なくとも一つ備えていることを特徴とする請求項１ないし１８のいずれかに記載のシグナル伝達装置。
【発明の詳細な説明】
【技術分野】
【０００１】
本発明は、シグナル伝達装置、特に柱状シグナル伝達装置に関するものである。
【背景技術】
【０００２】
特に柱状シグナル伝達装置などのシグナル伝達装置は、様々な機械や設備、乗物などの技術装置の作動状態を示すのに広く利用されている。特に、シグナル伝達装置は、この様な機械や設備の機能への妨害や新規導入に際し、特に視覚的、時には聴覚的に伝える信号を送ることにより、オペレーターにこの様な障害を特定させ、克服させる為に使われている。さらに、この様なシグナル伝達装置は、周辺地域、及び／又は周辺住民に危険が及ぶような状態を伝えるシグナルを送ることが可能である。
【０００３】
ほとんどの機械や設備は、その性能を最大限に活用するため、連続運転モードで運転されていることが多い。多くの製造会社では、この様な機械は、運転者や監視者を最小限に抑える為、完全に自動運転されている。この場合、個々の機械、又は設備は時々監視することができないことがある為、運転中のシャットダウンや危険な状態などのマイナスの現象を伴う、運転中の原因不明の障害を引き起こす可能性がある。
【０００４】
柱状シグナル伝達装置などの特殊なシグナル伝達装置は、できるだけ幅広い要求に対応することができる様にする為、既に商業的に様々な形で利用されている。連結可能な複数の独立したモジュールを持つ柱状シグナル伝達装置が使われることが多くあるが、この場合を例えにとると、基本又はベースモジュール、緑色、赤色、黄色、青色又は白色のシグナル伝達モジュール又は発光モジュール、或いは圧電ブザー等を備えたアコースティック伝達モジュールなどがある。
【０００５】
また、発光モジュールが、発光要素として白熱電球や、一種類もしくは複数の発光ダイオード、或いはフラッシュライトをもつということは、既に一般的となっている。
この様に適用範囲の大幅な拡大により、非常に多くの種類のモジュールが必要とされるようになっている。電球を有するモジュール、ＬＥＤを有するモジュール、ブザーを有するモジュール、フラッシュライトを有するモジュールなどがある。これにより、多くの種類のモジュールの生産、保管、管理が必要とされる様になり、一方では同一のモジュールの生産量が減るのに対し、もう一方では複雑性が増し、対応するシグナル伝達装置の製造会社へのコスト負担が増加する結果となっている。
【発明の開示】
【発明が解決しようとする課題】
【０００６】
本発明の目的の一つは、作動状態を少なくとも一種類は表示する機械、設備、及び乗物などの技術装置が、低コスト生産が可能で、また、適用範囲の拡大が期待される白熱電球のような、電子シグナル伝達要素を保持する為の保持装置を少なくとも一つ持つ、特に柱状シグナル伝達装置などのシグナル伝達装置を提案することである。特に、例えば市販のシグナル伝達装置や電球の場合、電子装置マウントの設置が極めて簡単に行える。
【課題を解決するための手段】
【０００７】
前文に記載したこれまでのシグナル伝達装置の背景に対し、本発明の目的は、請求項１に記載されているような特徴を持たせることによって達成される。
即ち、本発明は、電気シグナル伝達要素（７）、特に白熱電球（７）を保持する為の保持装置（５）を少なくとも一つ有し、機械、設備、及び乗物などの技術装置の作動状態を少なくとも一つ表示する特に柱状シグナル伝達装置などのシグナル伝達装置であって、保持装置（５）が、電子装置マウント（９）を任意に保持でき、据え付けられるべき電子装置マウント（９）の側方ガイドのための少なくとも１つのガイド装置（８）を備えた、装置である。
【０００８】
本発明による効果的な実施例や展開は従属する各請求項に記載されている方法を用いることにより効果を発揮する。
本発明によるシグナル伝達装置は、電子装置マウントをも任意的に保持することができるように保持装置が設計されているという点で他と区別され、保持装置は、取り付けられる電子装置マウントの側方ガイド用の少なくとも１つのガイド装置を有する。これにより、多様な、又は今後適用される可能性のあるアプリケーションに対応する一台で多機能を持つ保持装置またはベースを作り出し、様々な種類の要素を保持することを可能にする。例えば、本発明を利用すると、白熱電球、特に円形ベース又は特に広い平面、又は、特に柔軟なプリント配線基板又は導体薄板、セラミックマウントなどの少なくとも部分的に湾曲した電子装置マウントやプリント配線基板を、本発明による保持装置一つで選択的に保持することができる。電気・電子装置マウント、又はプリント配線基板は、実質的にはどんな機能が要求されても対応することができ、また、あらゆるアクチュエータやセンサーをも取り付けることが可能である。
【０００９】
本発明によると、一台の保持装置、或いはシグナル伝達モジュールは、効果的に製造、保管、また管理され、その目的によって、発光要素、電子回路、又はプリント配線基板と一緒に使用することができる。これにより同種の保持装置、或いは、特に本発明による柱状シグナル伝達装置用のモジュール、同種の保持装置を装備したシグナル伝達装置又は、柱状シグナル伝達装置の数は大幅な増加が見込まれる。
【００１０】
特に、電子装置マウントの側方ガイド用のガイド装置の設置は比較的簡単で、同時に電子装置マウント又はプリント配線基板を効果的に保持することができる。据え付け段階では、電子装置マウントは、取り付け位置に到達するまでガイド装置上において、効果的に誘導される。取り付け段階では、例えば電子装置マウントが特に側方から突き当たる停止面を利用して、ガイド装置が電子装置マウントを効果的に保持、又は固定までも行うことができる。
【００１１】
随意的に利用することができるシグナル伝達要素や電子装置マウントは、様々なデザインの保持要素を有する。これにより、通常デザインが大きく異なる任意の部品の保持をも可能にする。すなわち、シグナル伝達要素、又は、電子装置マウントを的確かつ簡潔に設置することを可能にする。一例として、一方ではねじ山が白熱電球という形のシグナル伝達要素の保持要素として提供されるのに対し、もう一方では、差し込み型接続部品が電子装置マウント等の保持装置として提供され、この場合保持装置はどちらの要素をも保持することができる。
【００１２】
ガイド装置は、設置される電子装置マウントが誘導されるようにして保持装置に挿入されるように設計されていることが望ましい。この場合、少なくともガイド装置の誘導表面に沿ってプラグが差し込まれる様に電子装置マウントが設置されると、更に効果的である。電子装置マウントは極めて簡単に挿入することが可能である。
【００１３】
一例として、ガイド装置は、具体的には、凹所、隙間、スロット、溝、などの形をしている。あるモデルでは、電子装置マウントが据え付け中に誘導される様に、ガイド装置がスタッドやつまみなどの突起部を有する。
【００１４】
ガイド装置は、有利にも、少なくとも片側が開いているスロットの形をしている。具体的に言うと、保持装置の周囲は完全に封鎖されているのではなく、少なくとも一箇所、可能であれば二箇所は開いていることが望ましい。２つのスロットが保持装置の両側に配置されている例もある。例えばこの場合、プリント配線基板が保持装置から突き出したり、張り出すようにして効果的な方法で平面プリント配線基板などの保持装置を貫通することが可能となる。とりわけ、電子装置マウントの大きさが保持装置の大きさに制限されないという結果へ導くことも可能となる。従って、電子装置マウントの幅は保持装置の幅よりも大きくすることが可能である。
【００１５】
スロットは、特に、誘導又は湾曲に対応できる柔軟な導体薄板などの湾曲したガイド表面を持っていることが望ましい。必要に応じて、電子装置マウント又はプリント配線基板をシグナル伝達装置又は柱状シグナル伝達装置の縦軸に対して横方向に配列する為、スロットはシグナル伝達装置の縦方向に対して直角に配列される。
【００１６】
スロットは、実質的に、シグナル伝達装置の軸方向に配列されていることが望ましい。これにより、軸方向へ移動、もしくは接続することが可能となり、極めて簡単な方法で電子装置マウント又はプリント配線基板を設置することが可能となる。
【００１７】
本発明による好適な変形例では、スロットはベースと反対側に配置された保持装置側が開いている。本発明によるこの変形例では、シグナル伝達要素、又は電子装置マウントの効果的な軸方向の据え付けを可能にする。従来技術では、特に白熱電球などのシグナル伝達要素は、これまでに同種の要素の設置用にデザインされているシグナル伝達装置に軸方向に設置されている。
【００１８】
一実施例では、シグナル伝達装置、或いはシグナル伝達モジュールは、半径方向に閉鎖されたケーシング面、及びベースを有し、ベースの反対側が有利にも大きく開いている。シグナル伝達要素、又は任意的な電子装置マウントは、このモジュール又はシグナル伝達装置の開口部を通ってシグナル伝達装置内に効果的に設置することができる。このシグナル伝達装置又はシグナル伝達モジュールの設置用開口部は、カバー要素、或いは、別のシグナル伝達モジュールを用いて閉じることができる。
【００１９】
本発明の好適な一実施例では、特に縦軸に対する電子装置マウントの横方向の幅が、シグナル伝達装置の断面に遮るものがない場合の幅と本質的に一致する。これは、大きい面積の電子装置マウント又はプリント配線基板の適用を可能にする。更に、多くの電子部品が利用され、電子装置マウント上に配置されることが可能となる。必要に応じて、特にシグナル伝達装置の縦方向に設置された電子装置マウントの長さと、シグナル伝達装置又はシグナル伝達モジュールの遮る物がない状態の長さは、本質的に一致させることができる。
【００２０】
電子装置マウント、又はプリント配線基板は少なくとも一つ、できれば二つ以上の発光ダイオードを有することが望ましい。これにより、例えば、保持装置が光源としての白熱電球やＬＥＤ  等のシグナル伝達要素を随意に取り付けることが可能となる。ほぼ全ての周辺地域、つまり３６０°にわたって照明をあてる為には、複数のＬＥＤ  を配置することが効果的である。例えば、十字型断面に最低４つのＬＥＤ  が配置されることが想定される。
【００２１】
好ましい一実施例では、特に保持装置は、発光要素を固定する為の固定ユニット、電子装置マウント、或いはプリント配線基板を少なくとも一つ備えている。固定することにより、保持、固定されるべき白熱電球や電子装置マウント、又はプリント配線基板が、できるだけ運転中に緩んだりすることがない様にしている。例えば、シグナル伝達要素或いは電子装置マウントが据え付けられ、又は据え付け方向に挿入されると、効果的な固定装置により、反対方向、つまり取り外し方向には動かないように固定される。
【００２２】
固定装置は、シグナル伝達要素、或いは、もし可能であれば電子装置マウントやプリント配線基板を締め付ける締め付け装置の形をしていることが望ましい。例えば、据え付け又は挿入動作によって、有利な締め付け効果を得られる様に、スロットにはテーパーがつけられている。
【００２３】
一実施例では、保持装置は、シグナル伝達要素又は発光要素を固定するためのねじ山を少なくとも一つ備えている。これにより、例えばねじ込み口金を持つ白熱電球やブザーなどを簡単に固定したり、また必要に応じて再度取り外したりすることも可能となる。同様に設計された保持装置は、電子装置マウントやプリント配線基板を差し込み、保持することができる、例えば、１つ又は２つのスロット、或いは、ねじ込み口金を有する。
【００２４】
固定ユニットは、有利にも、シグナル伝達要素、又は発光要素、或いは電子装置マウントやプリント配線基板のラッチングの役目をするラッチユニットの形をしている。保持すべき要素のラッチングは、極めて簡単で効果的な固定を可能にする。一例として、固定の際は通り越す（空転する）ことができるが、シグナル伝達要素、又は発光要素、或いは電子装置マウントやプリント配線基板が掛け金から外れたり、脱離したりするのを効果的に防ぐラッチングタブが少なくとも一つは備えられている。
【００２５】
固定ユニットは、シグナル伝達要素、又は発光要素、或いは電子装置マウントやプリント配線基板を固定する為の差し込み型接続部品を少なくとも一つ有することが望ましい。特に発光要素や白熱電球などの差し込み型接続部品はすでに市販されており、本発明の変形例での規格化された部品の使用が可能である。
【００２６】
更に、差し込み型接続部品は、対応する要素が確実に固定されることを確保している。一般的に、差し込み型接続部品を使った移動作業には、方向転換がある。例えば、特に軸を中心とした後続の回転を伴う、直線移動や軸方向への挿入などがある。
【００２７】
本発明による効果的な変形例では、１つ目の差し込み型接続部品がシグナル伝達要素又は発光要素の固定を行い、２つ目の差し込み型接続部品が電子装置マウント又はプリント配線基板の固定を行う。これにより、シグナル伝達要素又は発光要素、及び、電子装置マウント又はプリント配線基板を、本発明による保持装置を利用して簡単かつ効果的に固定することが可能となる。
【００２８】
少なくともいくつかのケースでは、電源供給のため、或いは、シグナル伝達要素又は発光要素と電子装置マウント又はプリント配線基板の間のデータ交換に、同一の電気接続が使われることが望ましい。これにより構成要素の数を減らすことが可能となり、同時に生産段階での更なるコスト削減も実現可能となる。
【００２９】
本発明における展開の一つとして、シグナル伝達装置の固定装置と、ガイド装置、或いは、一つ又は複数のスロットは、詳細には９０°回転するように配置、又は設計されている。こうすることにより、特に差し込み型接続部品を備えた標準的な白熱電球と、電子装置マウント又はプリント配線基板の接触点を同じ接続を利用して回路をつなぐことが可能となる。
【００３０】
接続は有利にも、特に帯状バネ接続などのバネ接続の形をしている。これは、接続が簡単かつ、構成要素を確実に保持するように作られていることを保障する。
概して、請求項１の前文に記載されているシグナル伝達装置は、特に電子装置マウント又はプリント配線基板上に最低一つの電気回路を有し、少なくとも一つのアクチュエータ、或いはセンサーを備えた機能ユニットを少なくとも一つ持つ場合、本発明の目的は効果的に達成される。これは、実質的にはどのような機能性が求められてもシグナル伝達ユニットは対応できるということを意味する。また、これは本発明によるシグナル伝達装置が、全く新しいアプリケーションにも対応することを可能にする。
【００３１】
他の機能モジュールは、有利にも、例えば柱状シグナル伝達装置に結合されている。対応するアクチュエータ、或いはセンサーは、例えば下記に詳細な説明がある様に、設計されている。
【００３２】
アクチュエータ、電子装置マウント、又はプリント配線基板は、受信機或いは送信機への無線データ送信用の送信装置或いは受信装置を備えた伝送ユニットを、少なくとも一つ有する。発明のこの様な実施例では、シグナル伝達装置は通常、ある作動状態を示す為に視覚的又は聴覚的な信号を作り出そうとすることから、どのような場合にも、対応する機械、設備、乗物等は、シグナル伝達装置との接点を有しているという事実を利用している。更に、従来のシグナル伝達装置は、既にこの様な信号を作成するための制御要素を持っている。本発明は、例えば、無線データ送信用の付加的な送信機を利用して、会社の敷地外の様な遠く離れた場所で制御又は監視業務に就く人が携帯することができる携帯受信機を作り出す為にこの事実を利用している。最終的に、本目的を達成する為の、監視される技術装置への改良は一切必要としない。
【００３３】
シグナル伝達装置、又はシグナル伝達モジュールが受信機を持つ場合の実施例では、一例として、無線で信号を受信し、それらの信号を装置や機械、設備に提供し、またそれらを特に制御を目的とした監視に効果的に利用することが可能である。最終的に、本目的を達成する為の、監視される技術装置への改良は一切必要としない。
【００３４】
本発明による効果的な展開の一つとして、送信者、或いは受信者は、公共通信ネットワークの加入者という形をとるということが挙げられる。これは、新たにデータ送信経路を作る必要性がないことを意味している。
【００３５】
更に、送信者と受信者の間のデータ送信経路に付加的な送信ユニットを設置することが可能である。この様な送信ユニットは、公共通信ネットワークへのインターフェイスとして利用することができる。この場合の通信ネットワークは、無線ネットワーク、或いは有線ケーブルネットワークの形をとることができる。本具体例における唯一の重要な要素は、シグナル伝達装置の送信機と、送信者と受信者間の伝送経路内の伝送ユニットとの間の無線接続である。上記実施例の展開の一つは、同一の伝送ユニットを利用した一台、もしくは２台以上のシグナル伝達装置用の複数の送信機の運転を含むことである。この様な配置は、デジタルデータ通信チャンネルを用いて何の問題もなく作り出すことができ、複数の送信ユニットを持つ場合の複雑性を回避することができる。
【００３６】
本発明の特に有益な実施形態の一つとして、送信機、或いは受信機といったシグナル伝達装置は交換可能なモジュールの形をとっていることが挙げられる。これにより、常に、本発明による送信機を備えた機械や機器のみを厳選し、比較的低い投資費用で設置することが可能になる。
【００３７】
本発明の有益な実施形態の一つとして、有線電話、携帯無線電話、無線通信、ネットワーク加入者、或いはインターネット加入者が、受信者或いは送信者として提供されるということが挙げられる。基本的に、このような通信機器は全て、発明を実施するのに適しているといえる。受信装置、或いは送信装置が無線通信又は携帯電話という形をとっている場合、シグナル伝達装置内の対応する送信機、或いは受信機も同様に無線通信や携帯電話、無線通信モデムといった形をとることができる。シグナル伝達装置内の送信機或いは受信機と、オペレーターなどのシグナルの受信者がいる受信機或いは送信機間の通信は、適切な無線通信経路を介して直接行われる。
【００３８】
有線電話ネットワークを利用、又は受信者をインターネット加入者に限定した実施例では、送信者或いは受信者は上記記載の送信ユニットを通して受信者或いは送信者へ接続することができる。このため、一例として送信者或いは受信者と、イントラネット接続されたコンピューター、無線ではなく有線でインターネット接続されたコンピューターとの間の無線接続を提供することが可能である。送信機或いは受信機は、有線電話に接続されたベースステーションと交信する携帯電話の形をとることも可能である。
【００３９】
この場合、既存の規格部品を使うことが効果的である。例えば、送信機或いは受信機はＤＥＣＴ電話ユニットと呼ばれる形をとることができるが、この場合、有線電話ネットワークに対応するベースステーションはこのＤＥＣＴ携帯部分の範囲内に設置されなければならない。
【００４０】
もう一つの改良点として、ブルートゥースユニットと呼ばれる装置を利用することによって、例えば本発明による送信或いは受信機から、例えばインターネットを通じての送信を可能にするコンピューターへの無線接続を提供することができる。
【００４１】
本発明によるシグナル伝達装置は、更に、複数のタイプの伝送を利用して信号を送ることができる送信或いは受信ユニットとして提供されることもある。つまり、一つの送信又は受信ユニットの中に、様々な送信チャンネルを提供する為に、例えば携帯電話送信装置と無線通信及びブルートゥースモジュールを組み合わせることは問題なく実行可能である。
【００４２】
この場合、伝達されるシグナルの種類は、適用用途によって、様々に構成されている。例えば、音声メッセージを文字メッセージの様に伝達することができるようにしたのが、ＳＭＳ  などと呼ばれるものである。一方では、シンボル化された警告や情報信号などの簡単なシグナル伝達もまた、何の問題もなく実行可能である。
【００４３】
その上、特にデジタルシグナル伝達では、本発明によるシグナル伝達装置によって提供される技術装置の様々な動作状態に対し、何の問題もなくシグナルを送ることが可能である。これは、運転を妨害する様な状態の時だけではなく、マガジンを補充したり、メンテナンスの時期を知らせたりなどといった取り扱いやメンテナンス業務が問題なく遂行されるためのメッセージを示したり、その他にも明確な指示を出し、特に問題が起こる前の適切な時期に担当者に連絡が行くようにすることをも可能にする。
【００４４】
更に、本発明によるシグナル伝達装置は、例えば一つのモジュール、もしくは複数の独立したモジュール内に、受信機と送信機の両方を持つ様に設計されていることが望ましい。この実施例は、データの相互通信を可能にする。つまり、制御又は監視業務に携わる人自身が、同時にシグナル伝達装置に情報を送信したり、またそこで情報を確認したりすることができる。
【００４５】
本発明によるシグナル伝達装置は、また、シグナルアドレスが自由選択形式で入力できるように設計されている。この場合、緊急時に制御や管理の責任者が不在の場合に備えて、複数のシグナル受取人を確保しておくことが望ましい。複数の人々に情報を提供しなければならない場合、本実施例のように、本発明によるシグナル伝達装置を利用して、全ての人々が同時又は次々に情報を受け取ることが可能である。
【００４６】
本発明による送信機は、データ送信チャンネルの種類に応じて、一定量の電磁力を送信する。この電磁力は、シグナル伝達装置内で通信妨害を起こすレベルに達する場合がある。このため、５ワット程度のレベルの低放射電力によって例えばＬＥＤなどの光信号を作り出す要素が少しずつ妨害されることがある。本発明による類似の実施例では、干渉場、又は少なくとも余分な干渉場が、対応するシグナル送信機或いは制御電子装置の周辺で発生することがないように、例えばシグナル伝達要素（ＬＥＤ，  圧電ブザーなど）や電子制御ユニットなどの敏感な構成要素は、適切な方法によって本発明による送信機のアンテナから遮断されている。
【００４７】
他の実施例では、シグナル伝達装置内の同様の構成要素のより大幅な隔離とより良い遮断機能を確保する為、アンテナはシグナル伝達装置の外側に設置されている。
一般的に、本発明によるシグナル伝達装置は、例えばＡＳＩ，  ＣＡＮなどといったバスシステムに接続することが可能である。この場合、シグナル伝達装置、或いは個々のモジュールへのアドレス指定は効果的である。電子装置マウント上にバス結合器を設置することが望ましい。
【００４８】
電子装置マウント又はプリント配線基板は、様々な種類のパラメーターを記録するセンサーを少なくとも一つ備えていると効果的である。例えば、センサーは変位センサー、煙センサー、ガスセンサー等の形をとることが可能である。
【００４９】
本発明によるある実施形態では、電子装置マウント又はプリント配線基板は画像を記録する為の画像記録ユニットを少なくとも一つ備えている。画像記録ユニットはデジタル画像を記録できるデジタルカメラであることが望ましい。例えば、特に動画を記録するビデオユニットを持つプリント配線基板によって動画は記録される。音、或いはスピーチを記録する音声記録ユニットがあると更に有利である。本発明によるこのようなモデルを用いると、シグナル伝達装置を囲むエリアは、必要に応じて視覚的、或いは聴覚的に効果的なシグナル伝達を用いて監視することができる。例えばこれは、盗難防止、或いは機械オペレーターの事故防止に効果的である。
【００５０】
このプリント配線基板は、音声を作り出す為の電気音声発振器を少なくとも一つは備えている。音声発振器は、例えば（圧電）ブザー、拡声器、ホーンなどである。
【発明を実施するための最良の形態】
【００５１】
好ましい一実施例は図を参照にして以下に詳しく説明する。
図は、特に本発明による柱状シグナル伝達装置などのシグナル伝達装置のモジュール１を示している。シグナル伝達装置のモジュールデザインはすでに従来技術となっている。シグナル伝達装置は、例えば、電気的接続を可能にする差し込み型接続部品や同種の接続部品２などの適切な接続手段を用いたモジュール設計となっている。
【００５２】
一例として、モジュール１が発光モジュール１の形をとっている場合、モジュール１が色づけされ、また、部分的に透明なハウジング３と柱状のケーシング３を有すると効果的である。モジュール１は、ハウジング３と一体化してできるベース要素４を有する。
【００５３】
ベース要素４は、一方に図４に示す様な白熱電球７用の円形凹所６と、図３に示す様な反対側のプリント配線基板９用のスロット８又は凹所８を二箇所、の両方を保持する保持装置５、又はベース５を持つ。
【００５４】
図１から図４に示したシグナル伝達モジュールの場合、プリント配線基板９は確実に固定されており、凹所８上のラッチングタブ１０を利用して自然に緩んでしまうことがない様に保護されている。凹所８は、差し込み型接続部品の形をしたスロット８の形をしており、止め具１１と相互作用する。図１の平面図に明確に示されている様に、プリント配線基板９は線Ａ−Ａに対してある角度でモジュール１の回転軸に沿う方向に挿入され、モジュール１の回転軸１の周りに回転されて、プリント配線基板９が線Ａ−Ａと一直線になり止め具１１にぶつかる様に整列され、掛け金が掛けられ、固定される。
【００５５】
図４に記載の白熱電球７も同じように、ベース６と第二の差し込み型接続部品１２（図１又は図６参照）を用いて確実に固定されている。この場合、既存の白熱電球を使うことが可能である。
【００５６】
明確さを保つ為、プリント配線基板９と白熱電球７の接続がどのようになされているかの詳細な説明は図１から図４には示していない。プリント配線基板９と白熱電球７はどちらも、どちらか一端だけ、もしくは両端二箇所が保持装置５に設けられている。この場合、図６又は図８に示されている様に、バネ接続１４が提供される。電子装置マウント９又はプリント配線基板９は、接続がより簡単に行える様、有利にも、端部コンタクト又は、はんだ接続を有する。
【００５７】
一実施例では、プリント配線基板９は、複数の発光ダイオード、フラッシュ、又は他のアプリケーションによって選択可能なアクチュエータ、或いはセンサーの役目をする機能的要素を有することができる。
【００５８】
図５から図８に記載の本発明による変形例は、主として、プリント配線基板９が軸方向にのみ挿入可能で、ラッチングの役目をするラッチングタブがベース６から離れるように保持装置が設計されているという点で、図１から図４のモデルとは異なる。プリント配線基板に掛け金を掛け、固定するために回転させる必要はない。こうすることにより、プリント配線基板は極めて簡単で、自動化された方法で設置することが可能となる。一方向への移動に対応した取扱い設備のみの設計が必要となる。
【００５９】
凹所８又はスロット８は、平面プリント配線基板９が中央に固定される様に、互いに反対側、つまりベース６に１８０°の角度離れて配置されている。本発明によるこの変形例においては、プリント配線基板９の幅は、ハウジング３の内径とほぼ一致する。更に、プリント配線基板９の長さは、追加のモジュール１に接続する状態にあるハウジング３の接続されていない状態の高さと本質的に一致する。これにより、保持装置５を利用して非常に強固に保持された、大きい面積のプリント配線基板９の適用が可能となる。
【００６０】
プリント配線基板９は有利にも、ラッチングタブ１０と係合し、プリント配線基板９を固定する凹所、又は穴部１５を有する。これに対し、図３に記載されたプリント配線基板９は、ラッチングタブ１０を用いたラッチング作用を提供する為、突起部１３を有する。ラッチングタブ１０を利用したラッチング作用で重要な特性は、プリント配線基板９の後部と係合するという特性である。
【００６１】
更に、図６又は図８には電気的接続１４が記載されている。バネ接続１４の形をした接続部１４は、最終的には、プリント配線基板９のみではなく、白熱電球７とも接続することができる。
【００６２】
本発明による図１から図４に記載されているモデルとは反対に、図６に特に明確に記載されている本発明による変形例におけるプリント配線基板９の凹部８又はスロット８は、白熱電球７の差し込み型取り付け具１２に対しほぼ９０°回転するように配置されている。これは、白熱電球７の標準接続やプリント配線基板９の末端接続は、設定の段階で接続部品１４に接続されていることを意味している。
【００６３】
一般的に、図５から図８に記載されているモジュール１のケースでは、白熱電球は比較的簡単に差し込み型接続部品に固定、又は取り外しすることができる。反対に、本発明による図６に記載の本モデルでは、プリント配線基板を固定し、保持装置５の中に挿入するのは比較的簡単だが、プリント配線基板９を簡単に取り外すことができないようになっている。この様な保持装置５の特徴は、例えば白熱電球７は一般的に電子部品に比べてかなり寿命が短く、プリント配線基板上には発光手段としてＬＥＤが配置されているということを考慮している。
【００６４】
本発明の特に有利な特徴として、一つのベースモジュール１またはシグナル伝達装置に、非常に順応性に優れた多機能性モジュール１又は様々な機能部品を利用したシグナル伝達装置を装備することができるようになったということが上げられる。同時に、幅広いアプリケーションへの対応が可能となり、この場合の電子装置マウント９又はプリント配線基板９の設置は既存のシグナル伝達要素７又は白熱電球７の設置の様に非常に簡単である。
【図面の簡単な説明】
【００６５】
【図１】白熱電球とプリント配線基板の保持装置を持つシグナル伝達モジュールの概略平面図である。
【図２】図１に示したシグナル伝達装置を、線Ａ−Ａで切断した場合の断面図である。
【図３】プリント配線基板を持つシグナル伝達モジュールの概略断面図である。
【図４】白熱電球を持つシグナル伝達モジュールの概略断面図である。
【図５】プリント配線基板を持つ第２のシグナル伝達モジュールの概略斜視図である。
【図６】白熱電球とプリント配線基板の保持装置を持つ第２のシグナル伝達モジュールの概略斜視図である。
【図７】図８に示した第２のシグナル伝達モジュールを線Ａ−Ａで切断した場合の断面図である。
【図８】プリント配線基板を持つ第２のシグナル伝達モジュールの概略平面図である。
【符号の説明】
【００６６】
１…発光モジュール
２…接続部品
３…ハウジング
４…ベース要素
５…保持装置
６…円形凹所
７…白熱電球
８…スロット
９…プリント配線基板
１０…ラッチングタブ
１１…止め具
１３…突起部
１４…バネ接続
１５…穴部
【図１】
2006195956.tif 000003
【図２】
2006195956.tif 000004
【図３】
2006195956.tif 000005
【図４】
2006195956.tif 000006
【図５】
2006195956.tif 000007
【図６】
2006195956.tif 000008
【図７】
2006195956.tif 000009
【図８】
2006195956.tif 000010